(57)【要約】      （修正有）【課題】建築物の軒先に強固に取り付けることができ、軒樋へのゴミ等の侵入防止、積雪時の樋内への堆積防止等を図るためのカバー材等を安定に取り付けることができる軒先唐草、及びそれを用いた軒先構造を提供する。【解決手段】建築物の軒先に配設される軒先唐草４で、建築物の外装下地５Ｃへの取付固定部４１１と、取付固定部４１１から軒先側へ延在して外装材６Ｄの軒先端を係合させる被係合部４１２と、被係合部４１２よりも更に軒先側へ突出させて軒樋１の上面を覆うカバー材２を固定する被固定部４４と、を備える。【選択図】図１
2019007253.tif 000002
【特許請求の範囲】
【請求項１】
建築物の軒先に配設される軒先唐草であって、
建築物の外装下地への取付固定部と、
該取付固定部から軒先側へ延在して外装材の軒先端を係合させる被係合部と、
該被係合部よりも更に軒先側へ突出させて軒樋の上面を覆うカバー材を固定する被固定部と、
を備えることを特徴とする軒先唐草。
【請求項２】
取付固定部と被係合部とはほぼ同一直線上に設けられ、排水凹部を介して連続していることを特徴とする請求項１に記載の軒先唐草。
【請求項３】
請求項１又は２に記載の軒先唐草を外装面へ取り付け、該軒先唐草に軒樋の上面を覆うカバー材を固定してなることを特徴とする軒先構造。
【請求項４】
軒樋と縦壁面との隙間を隠す化粧部を支持材を用いることを特徴とする請求項３に記載の軒先構造。
【発明の詳細な説明】
【技術分野】
【０００１】
本発明は、建築物の軒先に強固に取り付けることができ、軒樋へのゴミ等の侵入防止、積雪時の樋内への堆積防止等を図るためのカバー材等を安定に取り付けることができる軒先唐草、及びそれを用いた軒先構造に関する。
【背景技術】
【０００２】
建築物の軒先には、雨水を流す流水路として各種の軒樋が設けられているが、この軒樋に対し、ゴミ等の侵入防止、積雪時に樋内への堆積防止等のためにカバー材を用いる構造が多く提案されている。
例えば特許文献１には、鼻板７に固定した吊具３に、軒樋２及び落ち葉除けカバー１を取り付ける構造が提案されている。
また、特許文献２には、カバー材に相当する上側部材３を下から支持し、軒樋である下側部材４を上から吊って保持する軒樋吊り具６を用いる構造が提案されている。
また特許文献３には、断面Ｕ字状の雨樋本体の上縁開口部に、その長手方向に沿って多数の穿孔等の雨水通し部（天板部）を形成した雨樋Ａが提案されている。なお、この雨樋Ａは、断面Ｙ字形の樋受部１１を有する樋受け金具１２にて取り付けられている。
さらに、特許文献４には、鼻隠し板１０に固定した吊り具７に、軒樋１が吊り保持され、カバー材に相当する水切り板２の上端が屋根の下地に固定される構造が提案されている。
【先行技術文献】
【特許文献】
【０００３】
【特許文献１】特開平１１−３３６２７０号公報
【特許文献２】特開２０００−２９１２１３号公報
【特許文献３】特開２００１−３１７１６８号公報
【特許文献４】特開２００５−０２３５３７号公報
【発明の開示】
【発明が解決しようとする課題】
【０００４】
しかしながら、前記特許文献１における吊具３、特許文献２における軒樋吊り具６、特許文献３における樋受け金具１２、特許文献４における吊り具７は、それぞれ所定ピッチで取り付けられる構造であり、それぞれの軒樋やカバー材にかかる荷重は、これらの樋受け金具で負担されているため、強度不足を招く恐れがあった。
また、何れの構造でも、カバー材の形状、軒樋の形状、樋受け金具の形状がそれぞれに特定されたものであるから汎用性が低く、しかも殆どが鼻隠し壁面に側方から固定するので、これらの樋受け金具の取付強度は、側方からの固着具の打ち込みに依存するものであった。
さらに、特に前記特許文献４では、カバー材に相当する水切り板２の上端を屋根材の裏面側に固定する構造であるため、屋根材の敷設前に水切り板２を取り付ける必要があり、施工法にも制限を与えるものであった。また、この水切り板２を屋根下地から片持ち状に突出させた状態で軒樋１を配設するため、この水切り板２自体が足場の設置など屋根工事の邪魔になったり破損する恐れもあった。
【０００５】
そこで、本発明は、建築物の軒先に強固に取り付けることができ、軒樋へのゴミ等の侵入防止、積雪時の樋内への堆積防止等を図るためのカバー材等を安定に取り付けることができる軒先唐草、及びそれを用いた軒先構造を提案することを目的とする。
【課題を解決するための手段】
【０００６】
本発明は、上記に鑑み提案されたもので、建築物の軒先に配設される軒先唐草であって、建築物の外装下地への取付固定部と、該取付固定部から軒先側へ延在して外装材の軒先端を係合させる被係合部と、該被係合部よりも更に軒先側へ突出させて軒樋の上面を覆うカバー材を固定する被固定部と、を備えることを特徴とする軒先唐草に関するものである。
【０００７】
また、本発明は、前記軒先唐草において、取付固定部と被係合部とはほぼ同一直線上に設けられ、排水凹部を介して連続していることを特徴とする軒先唐草をも提案する。
【０００８】
さらに、本発明は、前記軒先唐草を外装面へ取り付け、該軒先唐草に軒樋の上面を覆うカバー材を固定してなることを特徴とする軒先構造をも提案するものである。
【０００９】
また、本発明は、前記軒先構造において、軒樋と縦壁面との隙間を隠す化粧部を支持材を用いることを特徴とする軒先構造をも提案する。
【発明の効果】
【００１０】
本発明の軒先唐草は、取付固定部と被係合部と被固定部とを備えるので、建築物の軒先を保護すると共に建築物の軒先に強固に取り付けることができ、軒樋の上面を覆うカバー材を安定に取り付けることができる。
また、この軒先唐草は、各部位の作用を阻害しない限りはどのように形成してもよく、しかも外装下地や外装材に取り付けるものであって、前述の従来の樋受け金具のように鼻隠し壁面に側方から固定するものではないので、固着具の打ち込みに依存しないし、施工が容易であって、取付強度も高い。
さらに、この軒先唐草ばかりでなく、それに取り付けるカバー材についても、特にその形状等を特定しないので、様々なカバー材を適用できるため、極めて汎用性が高い。
また、この軒先唐草を取り付けた状態では、特に突出している部分もないため、施工法にも制限を与えないし、足場の設置など屋根工事の邪魔になったり破損する恐れも全くない。
【００１１】
また、取付固定部と被係合部とはほぼ同一直線上に設けられ、排水凹部を介して連続している場合、これらの取付固定部と被係合部の上面に、例えば縦葺き外装材が敷設されて微細な隙間を形成することも多いが、該隙間に至った雨水等が毛細管現象等で更に水上側へ浸透することがないように、この排水凹部にて雨水等を側方へ流下させることができる。
【００１２】
さらに、本発明の軒先構造は、前記軒先唐草を外装面へ取り付け、該軒先唐草に軒樋の上面を覆うカバー材を固定してなるので、前述の数多くの効果を備えるものである。
【００１３】
また、軒樋と縦壁面との隙間を隠す化粧部を支持材を用いた軒先構造では、該隙間を下方から見上げた際にも化粧部に隠されているので、美麗な外観となる。
【図面の簡単な説明】
【００１４】
【図１】（ａ）本発明の軒先唐草の一実施例（第１実施例）を示す側面図、（ｂ）それを用いた軒先構造の一例を示す側断面図、（ｃ）それに用いた支持材を示す側面図である。
【図２】（ａ）第１実施例の軒先唐草を用いた軒先構造の他の一例を示す側断面図、（ｂ）それに用いた支持材を示す側面図である。
【図３】第１実施例の軒先唐草を用いた軒先構造の他の一例を示す側断面図である。
【図４】（ａ）本発明の軒先唐草の他の一実施例（第２実施例）を示す側面図、（ｂ）それを用いた軒先構造の一例を示す側断面図、（ｃ）その側面図、（ｄ）それに用いた支持材を示す側面図である。
【図５】（ａ）本発明の軒先唐草の他の一実施例（第３実施例）を示す側面図、（ｂ）それを用いた軒先構造の一例を示す側断面図、（ｃ）他の一例を示す側断面図、（ｄ）それらに用いた支持材を示す側面図である。
【図６】（ａ）本発明の軒先唐草の他の一実施例（第４実施例）を示す側面図、（ｂ）それと併用する支持材を示す側面図、（ｃ）それらを用いた軒先構造の一例を示す側断面図、（ｄ）他の一例を示す側断面図である。
【図７】（ａ）本発明の軒先唐草の他の一実施例（第５実施例）を示す側面図、（ｂ）第５実施例の軒先唐草を用いた軒先構造の一例を示す側断面図、（ｃ）それに用いた支持材を示す側面図である。
【図８】（ａ）本発明の軒先唐草の他の一実施例（第６実施例）を示す側面図、（ｂ）第６実施例の軒先唐草を用いた軒先構造を示す側断面図である。
【図９】（ａ）本発明の軒先唐草の他の一実施例（第７実施例）を示す側面図、（ｂ）第７実施例の軒先唐草を用いた軒先構造を示す側断面図である。
【発明を実施するための形態】
【００１５】
本発明の軒先唐草は、建築物の軒先に配設される部材であって、建築物の外装下地への取付固定部と、該取付固定部から軒先側へ延在して外装材の軒先端を係合させる被係合部と、該被係合部よりも更に軒先側へ突出させて軒樋の上面を覆うカバー材を固定する被固定部と、を備えることを特徴とし、建築物の軒先に強固に取り付けることができ、軒樋へのゴミ等の侵入防止、積雪時の樋内への堆積防止等を図るためのカバー材等を安定に取り付けることができる。
【００１６】
前記本発明の軒先唐草に固定されるカバー材は、各種の軒樋の上面を覆う部材であって、軒樋への雪やゴミの侵入等を防止する部材であり、その表面には雨水を内部へ導く導水口、例えば小径のスリット孔が形成されていることが望ましい。
その軒先端が軒樋の軒先端と係合して取り付けられるものであって、
なお、このカバー材により上面を覆われる軒樋は、内部に雨水等の排水路が設けられているものであれば、底面及び両側面の形状は特に限定するものではなく、例えば塩ビ、ポリカ等の汎用品でもよいので、その上面を覆うカバー材の構成や形状についても特に限定するものではない。
【００１７】
本発明においては、前記カバー材や軒樋については、特にその形状等を限定しないことは前述のとおりであるが、後述する図示実施例に示すようにカバー材の軒先端に下方へ更に内側へ折曲した略コ字状の係合部を設け、その裏面側に軒樋の軒先端を係合する構成とした場合には、前記略コ字状の係合部が、軒樋の軒先端を上方から引っ張るように保持して軒樋の荷重を負担することができる。即ちこの場合のカバー材は、軒樋の軒先端を引っ張るように保持するアームの役割をも果たす。
【００１８】
前述のように本発明の軒先唐草は、取付固定部と被係合部と被固定部とを備える部材であって、軒樋の上面を覆うカバー材の荷重を保持するための強度特性を備えるものであれば、特にその素材や加工法等を限定するものではないが、長さ方向に前記取付固定部や前記被係合部、前記被固定部がそれぞれ連続する連続材として形成されることが軒先を保護する観点から望ましい。
【００１９】
前記取付固定部は、前述のように建築物の外装下地へ取り付けられる部位である。具体的には、外装下地に沿わせて固定される横片部分等がそれに相当し、上方からビス等の固着具を打ち込んで外装下地に強固に取り付けることができる。後述する図示実施例に示すように該取付固定部を上辺とする略コ字状に形成すると、外装下地の軒端に嵌合状に取り付けることができるため、施工性も向上し取付強度も向上するので望ましい。
【００２０】
前記被係合部は、前述のように取付固定部から軒先側へ延在して外装材の軒先端を係合させる部位である。具体的には、前記取付固定部からほぼ同一直線上に延在するように設けた突出状の横片部分でもよいし、前記取付固定部から起立片を途中に介して軒先側へ突出状に延在させた横片部分でもよい。
また、該被係合部に係合させる外装材は、例えば横葺き外装材でも縦葺き外装材でもよく、前者の場合は最軒端の横葺き外装材の軒側成形部に係合させてもよいし、後者の場合は縦葺き外装材の最軒端を裏面側へ折返し状に折り曲げて係合させるようにしてもよい。
【００２１】
前記被固定部は、前述のように前記被係合部よりも更に軒先側へ突出させて軒樋の上面を覆うカバー材を固定する部位である。なお、前述のように「被係合部」は軒先側へ突出状に延在する横片部分であるから、当該「被係合部よりも更に軒先側へ突出させ」るとは、当然のことながら被係合部と被固定部とは連続状に形成されない部位であって、位置的に被固定部の方が被係合部よりも軒先側へ突出していることを意味している。
なお、この被固定部は、横片状にも縦片状にも形成でき、ビス等の固着具を用いてカバー材を固定することができる。
【００２２】
本発明の軒先唐草は、これらの取付固定部、被係合部、被固定部を備える構成であって、建築物の軒先に強固に取り付けることができ、軒樋の上面を覆うカバー材を安定に取り付けることができる。即ち取付固定部で外装下地に固定（上方からのビス等の固着具にて）すると共に、被係合部で外装材に係合させるので、軒先へ一体的に取り付けられる。
しかもこの軒先唐草は、外装下地や外装材といった屋根面（屋根構造）に取り付けるものであって、前述の従来の樋受け金具のように鼻隠し壁面に側方から固着具を打ち込むものではないため、容易に且つ強固に軒先唐草を取り付けることができる。
【００２３】
なお、前記取付固定部と前記被係合部とが、ほぼ同一直線上に設けられ、排水凹部を介して連続している場合には、これらの取付固定部と被係合部の上面に例えば縦葺き外装材が密接状に敷設されていることもあり、該隙間に至った雨水等が毛細管現象等で更に水上側へ浸透することがないように、この排水凹部にて雨水等を側方へ流下させることができる。
【００２４】
前記軒先唐草を用いた軒先構造は、軒先唐草自体が建築物の軒先に強固に取り付けられ、該軒先唐草に軒樋の上面を覆うカバー材を取り付けたものであるが、後述する図示実施例に示すようにカバー材の軒先端に下方へ更に内側へ折曲した略コ字状の係合部を設け、その裏面側に軒樋の軒先端を係合する構成を採用することにより、軒樋の荷重を負担させることもできる。なお、後述する図示実施例では、軒樋の建築物側壁面を保持する保持部（支持部）を軒先唐草に具備させたり、軒先唐草とは別部材の支持材を補助的に用いることで、より安定に軒樋を保持できるようにしている。
【００２５】
前述の軒樋の建築物側壁面を保持する構成（保持部）としては、例えば前述のように建築物側壁面の下方に、下方からこの軒樋を支持させるための（例えば角状の）被支持部を設け、該被支持部を下方から支持する支持部を軒先唐草に具備させるようにしてもよいし、軒先唐草とは別部材の支持材を補助的に用いるようにしてもよい。
なお、このような支持部を軒先唐草に具備させる場合には、外装下地ばかりでなく建築物（の鼻隠し壁面）に固定される固定部を設けた方がより安定に取り付けられる。別部材の支持材を補助的に用いる支持材を用いる場合も、この支持材を建築物（の鼻隠し壁面）に固定すれば、簡易な形状の支持材（例えばＬ字状等）とすることができる。
【００２６】
なお、前記支持部（又は前記支持材）には、併せて軒樋の建築物側の上方（上端）を保持する構成、例えば下方が開放する溝状部を設けることにより、軒樋の建築物側の上端を前記溝状部に差し込んで取り付けを容易にすると共に配設後の安定性（被支持部と溝状部間に嵌合状に保持）を向上させるようにしてもよい。
【００２７】
軒先唐草とは別部材であって、補助的に用いる支持材は、建築物（の鼻隠し壁面）に固定される部材であり、軒樋の建築物側壁面に設けた被支持部を下方から支持すると共に、建築物側の上方（上端）を保持する構成、例えば下方が開放する溝状部を設けることが好ましいことは前述のとおりである。言い換えると、この支持材は、軒樋の被支持部を支持する支持部と、鼻隠し壁面への固定部とを備え、前述のようにカバー材の被固定部を形成してもよいし、溝状部を有することが更に望ましい部材である。
なお、この支持材は、アルミや高強度樹脂材等の押出型材で形成されるピース材を所定間隔で配する構成でもよいし、金属板材等を適宜に成形して形成される連続材でもよい。
【００２８】
軒先唐草自体に前記支持部（や溝状部）を具備させることにより、その場合の軒先唐草は、墨出しを行うことなく適正位置に配設でき、しかも軒樋の位置決めにも貢献するという効果がある。
また、軒先唐草とは別部材の支持材を補助的に用いる場合も、軒先唐草と支持材とが物理的に一体化する場合には、同様の効果、即ち墨出しを行うことなく適正位置に配設でき、しかも軒樋の位置決めにも貢献するという効果がある。
【実施例１】
【００２９】
図１（ａ）に示す第１実施例の軒先唐草４は、横片部４１の上方（図面の左方）部分４１１が外装下地（５Ｃ）の上面に沿う取付固定部であり、その下方（図面の右方）部分４１２が最も軒側の外装材６Ｄの軒側成形部６２に嵌合する被係合部であって、前記横片部４１の中央から下方へ垂下（垂下片４３）してその下端が内側へ折曲された略Ｌ字状の取付部４２が外装下地（５Ｃ）の軒先部分に嵌合状に取り付けられる連続材である。
また、前記取付部４２の裏面側（図では左側）には、カバー材２の上端部分を裏面側から支持すると共にその固定部２３を固定する略弧状斜片である被固定部４４が形成されている。
【００３０】
前記取付固定部４１１と被係合部４１２とは、横片部４１の上方部分及び下方部分であるから、当然のことながら同一直線上に設けられているが、下方への窪みである排水凹部４１３を介して連続している。
なお、各部材における部位において、「建築物側」や「軒先側」などの文言を用いて説明してきたが、当該実施例では、符号を付して説明しているので、「内側」や「外側」、「上側」や「下側」といった文言で説明を簡略化する。特に「建築物側」とは、軒樋１の「内側」を示し、カバー材２の「上側」を示すので、そのように表記する。
【００３１】
図１（ｂ）に示す軒先構造(I)は、この第１実施例の軒先唐草４を用いた一例であって、該軒先構造(I)における軒樋１は、略水平状の底面１１の軒先側（図面では左側）に、三つの傾斜面と二つの略水平面とで構成される段状の（外）側面１２が形成され、前記底面１１の内側（図面では右側）には、略垂直状に起立する（内）側面１３が形成され、これらの底面１１及び側面１２，１３にて雨水等の排水路が形成されている。
前記軒先側の側面１２の上端に位置する傾斜面と略水平面は、カバー材２に保持（係合）される軒先端１２１である。
また、前記内側面１３の下端には、隅部状の被支持部１３１が設けられ、軒先唐草４に下方から支持される部位である。
【００３２】
また、この軒先構造(I)におけるカバー材２は、軒樋１の内部に降雪が堆積したり、落ち葉等が侵入、堆積することを防止する部材であって、その表面（化粧面２１）には雨水を内部へ導く導水口２１１として複数の小径のスリット孔が形成され、その下端である軒先端（係合部）２２が前記軒樋１の軒先端１２１と係合して取り付けられ、その上端付近に軒先唐草４に固定される固定部２３が形成されている。なお、略垂直状に折り上げたその上端２４を、最も軒側の外装材６Ｄの軒側成形部６２の裏面側に臨ませている。
前記軒先端２２は、化粧面２１の下端から斜め上方へ延在し、その先端を下方へ折曲し、更にその下端を内側へ折曲した略コ字状の係合部を形成している。
前記固定部２３は、化粧面２１の上端付近に位置する部位であって、当該第１実施例では、建築物（５Ａ）に固定される軒先唐草４に連絡されて取り付けられている。
【００３３】
この軒先構造(I)に前記軒先唐草４と共に用いられてより安定に軒樋１を保持することができる補助材として、図１（ｃ）に示す支持材３が用いられている。
この支持材３は、金属板材等を適宜に成形して形成され、略垂直状の縦面の上端を軒先側へ折り返した突出片３１２が形成され、下端を略水平状に軒先側へ折り曲げて支持部３２が形成され、中間には側方へ略コ字状に突出する成形部が形成される連続材である。前記突出片３１２の内側空間が、下方が開放する溝状部であって、軒樋１の内側面１３の上端が差し込まれる上方保持部３４である。また、前記成形部の傾斜状の縦面が鼻隠し縦面への固定部３１（固着具３ｂ）であり、下部横面が化粧面３５１であり、該化粧面３５１が軒樋１と鼻隠し壁面５Ａとの隙間を隠すため、下方から見上げた際に美麗な外観を維持するものである。
【００３４】
その他の構成を簡単に説明すると、図中の５ＢはＨ躯体、５Ｃは軒棟方向に敷設された構造材（＝断熱材及び軽量鋼材）、５ｄはその上面に敷設された防水シートであり、６Ｄは最も軒先側の外装材、６ｂはそれを取り付ける吊子、６ｆは外装材の裏面側に添設された裏貼り材である。
なお、横葺き外装材である外装材６Ｄは、略平坦状の面板部６１の軒側、棟側に設けられて相互に係合する軒側成形部６２、棟側成形部６３を備え、構造材５Ｃに固定された吊子６ｂや前記取付材４にて取り付けられ（敷設され）ている。
【００３５】
この第１実施例の軒先唐草４は、前述のように外装下地（５Ｃ）の上面に沿う取付固定部４１１と、最も軒側の外装材６Ｄの軒側成形部６２に嵌合する被係合部４１２と、カバー材２を固定する被固定部４４とを備えるので、建築物の軒先を保護すると共に該軒先に強固に取り付けることができ、軒樋１の上面を覆うカバー材４を安定に取り付けることができる。
また、この軒先唐草４では、取付固定部４１１と被係合部４１２とはほぼ同一直線上に設けられ、排水凹部４１３を介して連続しているので、縦葺き外装材６Ｄが敷設された隙間に至った雨水等が毛細管現象等で更に水上側へ浸透することがなく、この排水凹部４１３にて雨水等を側方（図面では前方又は奥方）へ流下させることができる。
【００３６】
また、前記軒先構造(I)は、前記軒先唐草４を外装下地５Ｃや外装材６Ｄに取り付けるものであって、前述の従来の樋受け金具のように鼻隠し壁面に側方から固定ものではないので、固着具の打ち込みに依存しないし、施工が容易であって、取付強度も高い。
さらに、この軒先唐草４ばかりでなく、それに取り付けるカバー材２についても、特にその形状等を特定しないので、様々なカバー材を適用できるため、極めて汎用性が高い。また、この軒先唐草４を取り付けた状態では、特に突出している部分もないため、足場の設置など屋根工事の邪魔になったり破損する恐れも全くない。
【００３７】
図２（ａ）に示す軒先構造(II)は、前記第１実施例の軒先唐草４を用いた別の一例であって、鼻隠し壁面５Ａが略鉛直状に立設されているので、該鼻隠し壁面５Ａ（の表面を被覆する化粧材６ｇ）との間に隙間は存在しないため、図２（ｂ）に示すような支持材３-2を用いた。
前記支持材３-2は、略垂直状の縦面の中間に、側方へ略コ字状に突出する成形部が形成されていない構成であって、突出片３１２、上方保持部３４、支持部３２が同様に形成され、鼻隠し縦面への固定部３１（固着具３ｂ）が略垂直状に形成された略Ｌ字状の構成である。この支持材３-2は、連続材でもピース材でもよい。
【００３８】
図３（ａ）に示す軒先構造(III)は、前記第１実施例の軒先唐草４を用いた更に別の一例であって、前記軒先構造(II)と同様に前記第１実施例の軒先唐草４を用い、また保持する軒樋１及びカバー材２や支持材３-2についても前記軒先構造(II)と同様であるが、傾斜勾配が緩やかな（略水平状の）外装面である点が相違するので、前記部材１〜４については図面に同様の符号を付して説明を省略する。
この軒先構造(III)における外装面は、外装下地については前記軒先構造(II)と同様としたが、その外装下地の上に縦葺き外装材である外装材７Ａを保持部材７ｂにて取り付けている（図面の符号７ｃは保持部材７ｂを固定する固着具である）。なお、鼻隠し壁面５Ａの表面を被覆する化粧材６ｇに代えてボード状の化粧材６ｈを用いた。
【００３９】
図４（ａ）に示す第２実施例の軒先唐草４-2は、外装下地（５Ｃ）の上面に沿う横片部４１が取付固定部であり、その裏面側に内側が開放する略コ字状の取付部４２が外装下地（５Ｃ）の軒先部分に嵌合状に取り付けられる連続材である点については、前記第１実施例の軒先唐草４と同様であるが、前記横片部４１の軒先端から起立状に縦片部が形成され、その上端に最も軒側の外装材６Ｄ'の軒側成形部に嵌合する横片状の被係合部４が形成され、その下方にカバー材２'の上端２３'を固定する略Ｌ字状の被固定部４４'が形成されている。
【００４０】
図４（ｂ），（ｃ）に示す軒先構造(IV)には、前記軒先構造(I)に用いた軒樋１より幅広の軒樋１'を用いているが、寸法が異なる以外は特に説明を省略する。また、軒先構造(IV)に用いたカバー材２'も、前記軒先構造(I)に用いたカバー材２より幅広であるが、略平坦状の被固定部２３に代えて略Ｌ字状の被固定部２３'としている。
【００４１】
この軒先構造(IV)に前記軒先唐草４-2と共に用いられてより安定に軒樋１'を保持することができる補助材として、図４（ｄ）に示す支持材３-2が用いられている。この支持材３-2は、前記軒先構造(I)に用いられた支持材３と概略形状は同様であり、金属板材等を適宜に成形して形成される連続材である。
そして、前記支持材３と同様に、突出片３１２、支持部３２、前記突出片３１２の内側空間が上方保持部３４であり、固定部３１（固着具３ｂ）、化粧面３５１が形成される構成であり、該化粧面３５１が軒樋１'と傾斜状の鼻隠し壁面５Ａとの隙間を隠すため、下方から見上げた際に美麗な外観を維持するものである。
【００４２】
また、この軒先構造(IV)に用いられた外装材（横葺き外装材）６'は、前記前記軒先構造(I)に用いられた外装材６Ｄとは形状が異なる以外は同様の横葺き外装材であって、最も軒先側の外装材を６Ｄ'、面板部を６１'、軒側成形部を６２'、棟側成形部を６３'、吊子を６ｂ'、その固着具を６ｃ'、バックアップ材を６ｆ'と表記した。
なお、図４（ｂ）と同図（ｃ）との相違は、前者が側断面図であるのに対し、後者がそれらの側端部を示す側面図である。
即ち図４（ｃ）に示すように、軒樋１'の側端には符号８Ａで示される納め材が配設され、図示しない下方への縦樋等にて雨水等を排水することができる。
また、軒先構造(IV)における外装面として、裏面にバックアップ材７ｄが添設された横葺き外装材７Ｃを吊子７ｅで取り付けた構成を採用したが、この構造の屋根面の側端にも、符号８Ｂで示される納め材が配設され、雨水等が側方からバックアップ材７ｄへ染み込んだりすることを防止している。
その他の構成を簡単に説明すると、図中の５Ｇは角状構造体、５Ｈは天井材、６ｉは鼻隠し壁面５Ａの外側を被覆する化粧材である。
【００４３】
この第２実施例の軒先唐草４-2も、前記第１実施例の軒先唐草４と同様に建築物の軒先を保護すると共に建築物の軒先に強固に取り付けることができ、軒樋１の上面を覆うカバー材２を安定に取り付けることができる。
また、この第２実施例の軒先唐草４-2では、カバー材２'を固定する被固定部４４'を略Ｌ字状に形成したので、軒先唐草４-2を取り付けた状態での軒先へ突出する部分が殆どないため、軒樋１'やカバー材２'の配設作業に際して引っかかりがなく滑らかに作業を行うことができる。比較のために説明すると、前記第１実施例の軒先唐草４では、横片状の被固定部４４が、軒先唐草４を取り付けた状態で軒先側へ突出しているため、その後の作業に際してこの被固定部４４に作業者の服や指が引っかかる等の事故を起こす恐れがあった。
【００４４】
図５（ａ）に示す第３実施例の軒先唐草４-3は、下方への窪みである排水凹部４１３'が僅かに小さく形成されている以外は、前記第１実施例の軒先唐草４と全く同様であるから、図面に同一符号を付して説明を省略する。
この第３実施例の軒先唐草４-3を用いた同図（ｂ）に示す軒先構造(V)、同図（ｃ）に示す軒先構造(VI)は、同図（ｄ）に示す略Ｌ字状の支持材３-3を用いる点でも共通である。なお、この支持材３-3は、寸法が僅かに相違する以外は前記軒先構造(II)に用いられた支持材３-2と略同一であるから図面に同一符号を付して説明を省略する。
【００４５】
図５（ｂ）に示す軒先構造(V)は、前述のように第３実施例の軒先唐草４-3及び前記支持材３-3を用いて軒樋１及びカバー材２を保持するものであって、それ以外は前記図２（ａ）に示す軒先構造(II)と同様であり、図面に同一符号を付して説明を省略する。言い換えれば前記軒先構造(II)に、第３実施例の軒先唐草４-3及び前記支持材３-3を用いた構造がこの軒先構造(V)である。
図５（ｃ）に示す軒先構造(VI)も、第３実施例の軒先唐草４-3及び前記支持材３-3を用いて軒樋１及びカバー材２を保持するものであるが、それ以外は前記図３に示す軒先構造(III)と同様であり、図面に同一符号を付して説明を省略する。言い換えれば前記軒先構造(III)に、第３実施例の軒先唐草４-3及び前記支持材３-3を用いた構造がこの軒先構造(VI)である。
【００４６】
この第３実施例の軒先唐草４-3も、前記第１，第２実施例と同様に建築物の軒先を保護すると共に建築物の軒先に強固に取り付けることができ、軒樋１の上面を覆うカバー材２を安定に取り付けることができるという効果を奏する。また、排水凹部４１３'の効果も同様に奏する。
【００４７】
図６（ａ）に示す第４実施例の軒先唐草４-4は、取付部４２の下端から下方へ延在する延在片４６が形成されている以外は、前記第３実施例の軒先唐草４-3と全く同様であるから、図面に同一符号を付して説明を省略する。
また、同図（ｂ）に示す略Ｌ字状の支持材３-4は、寸法が僅かに相違する以外は前記軒先構造(II)に用いられた支持材３-2と略同一であるから図面に同一符号を付して説明を省略する。
これらの軒先唐草４-4及び支持材３-4を用いた同図（ｃ）に示す軒先構造(VII)及び同図（ｄ）に示す軒先構造(VIII)は、前者が図５（ｃ）と同様で、後者が図５（ｂ）と同様である。
【００４８】
この第４実施例の軒先唐草４-4も、前記第１〜３実施例と同様に建築物の軒先を保護すると共に建築物の軒先に強固に取り付けることができ、軒樋１の上面を覆うカバー材２を安定に取り付けることができるという効果を奏する。
加えて、この軒先唐草４-4には、前述のように取付部４２の下端から下方へ延在する延在片４６が形成されているので、配設した時点で鼻隠し壁面５Ａ（化粧材６ｈ）との間に下方が開放する溝状空間を形成する。そのため、該溝状空間に軒樋１の内壁面１３の上端を差し込むように配設することができ、配設時の施工性を向上することができる。
尤も、図６（ｄ）の軒先構造(VIII)では、軒樋１の内壁面１３の上端が前記溝状空間に至っていないので、前記作用は果たされない。
【００４９】
図７（ａ）に示す第５実施例の軒先唐草４-5は、略コ字状に形成される取付部４２の下端から下方へ略垂下状に延在する当接片４７と、短い横片を介して更に下方へ略垂下状に延在する延在片４６'が形成されている以外は、前記第３実施例の軒先唐草４-3と全く同様であるから、図面に同一符号を付して説明を省略する。
また、同図（ｃ）に示す略Ｌ字状の支持材３-5は、寸法が僅かに相違する以外は前記軒先構造(II)に用いられた支持材３-2と略同一であるから図面に同一符号を付して説明を省略する。
【００５０】
図７（ｂ）に示す軒先構造(IX)は、前記第５実施例の軒先唐草４-5及び支持材３-5を用いたものであって、前記軒先構造(VII)と同様の効果を奏するが、更に前述のように軒先唐草４-5が下方へ略垂下状に延在する二つの縦片４７，４６'を有するため、より安定に軒先唐草４-5を配設でき、より安定に軒樋１を配設することができる。
即ちこの第５実施例の軒先唐草４-5は、当接片４７が鼻隠し壁面５Ａに沿うように配設されるため、より安定にこの軒先唐草４-5を配設することができる。
また、この軒先唐草４-5は、略垂下状の延在片４６'と鼻隠し壁面５Ａとが僅かな間隔を隔てて対向状に配設されるため、下方が開放する溝状空間が軒樋１の内側面１３の上端を保持する作用が高い上方保持部を形成するため、軒樋１を安定に配設することができる。
【００５１】
この第５実施例の軒先唐草４-5も、前記第１〜４実施例と同様に建築物の軒先を保護すると共に建築物の軒先に強固に取り付けることができ、軒樋１の上面を覆うカバー材２を安定に取り付けることができるという効果を奏する。
加えて、この軒先唐草４-5には、前述のように略垂下状の延在片４６'と鼻隠し壁面５Ａとが僅かな間隔を隔てて対向状に配設されるため、下方が開放する溝状空間が軒樋１の内側面１３の上端を保持する作用が高い上方保持部を形成する。そのため、該上方保持部に軒樋１の内壁面１３の上端を差し込むように配設することができ、配設時の施工性を更に向上することができる。
【００５２】
図８（ａ）に示す第６実施例の軒先唐草４-6は、前記図２（ａ）における第１実施例の軒先唐草４と支持材３-2とが一部材に形成されたような構成を有する。
即ちこの軒先唐草４-6は、外装下地（５Ｃ）の上面に沿う取付固定部４１１と、最も軒側の外装材６Ｄの軒側成形部６２に嵌合する被係合部４１２と、カバー材２を固定する被固定部４４とを備え、鼻隠し縦面５Ａへの略垂直状の縦面である固定部４６（固定具４ｃ）、その上端から軒先側へ延在する突出片４６２、その裏面側の上方保持部４８、前記固定部４６の下端に設けられる支持部４８を備えている。
【００５３】
図８（ｂ）に示す軒先構造(X)は、前記第６実施例の軒先唐草４-6を用いた構造であって、軒樋１もカバー材２も、前記軒先構造(I)に用いたものと殆ど同様で、更に外装面も前記軒先構造(I)等と同様である。
【００５４】
この第６実施例の軒先唐草４-6も、前記第１〜５実施例と同様に建築物の軒先を保護すると共に建築物の軒先に強固に取り付けることができ、軒樋１の上面を覆うカバー材２を安定に取り付けることができるという効果を奏する。
さらに、この軒先唐草４-6は、軒樋１の荷重をカバー材２を介して引っ張り上げるように保持すると共に、鼻隠し壁面５Ａに固定する固定部４６に形成した上方保持部４８や支持部（下方保持部）４７にて確実に支持するので、これらの軒樋１及びカバー材２を両サイドから安定に且つ強固に保持することができる。
【００５５】
この軒先唐草４-6は、墨出しを行うことなく適正位置に配設でき、即ち軒樋１の位置決めにも貢献するという効果を有する。以下に、その施工を簡単に説明するが、第１に前記軒先唐草４-6を適正位置に固定し、第２に軒樋１を固定し、第３にカバー材２を取り付けるという手順で容易に施工できる。
【００５６】
まず、軒先唐草４-6を適正位置に固定するには、外装面を形成する構造材５Ｃの軒先端に取付部４２を嵌合させるように取り付け、固着具４ｂにて構造材５Ｃの上面に沿わせるように取り付けるが、その際、鼻隠し壁面５Ａに固定部４６を沿わせて固定具４ｃにて取り付けるので、固着具４ｂ，４ｃの固定作業を安定に行うことができ、またこの軒先唐草４-6は二箇所の固定にて安定に取り付けられる。
【００５７】
次に、固定した軒先唐草４-6に対し、軒樋１の内側面１３の上端を上方保持部４８に差し込むと共に被支持部１３１が支持部４７に支持されるように配設し、軒先側（図面左側）から固着具１ｂを打ち込んで鼻隠し壁面５Ａに固定する。
なお、この時点では軒樋１は、一方（図面右側）のみが固定されているに過ぎないので、施工作業者が部材の変形を防止する為に下方から保持しておく必要がある。
【００５８】
更に、カバー材２を、固定した軒樋１の上面を覆うように配設し、その上端に設けた固定部２３を、軒先唐草４-6の被固定部４４に固着具２ｂにて取り付ける（固定する）が、その際、カバー材２の軒先端２２は、略コ字状の係合部であるから、軒樋１の軒先端１２１に下方から保持するように係合させることができる。
【００５９】
このような構成の軒先唐草４-6を用いた軒先構造(X)では、軒先唐草４-6の取り付けも、それに対するカバー材２の取り付けも、軒樋１の取り付けも、それぞれに容易に行うことができる上、墨出しを行うことなく適正位置に配設できる。
また、軒先唐草４-6の固定は、構造材５Ｃ及び鼻隠し壁面５Ａのそれぞれに跨っているので、軒樋１等の荷重を外装面及び建築物の両方に負担させることができ、固定箇所への負担も一箇所に集中させることがないので、継続的に安定な取付となる。
【００６０】
図９（ａ）に示す第７実施例の軒先唐草４-7は、該軒先唐草４-7を取り付ける外装面（構造材５Ｃ）の配設角度が略水平状であるため、それに応じて取付部４２の角度が異なる以外は、殆ど前記第６実施例の軒先唐草４-6と同様であるから、図面に同一符号を付して説明を省略する。
【００６１】
図９（ｂ）に示す前記第７実施例の軒先唐草４-7を用いた軒先構造(XI)は、軒樋１もカバー材２も、前記軒先構造(I)に用いたものと殆ど同様で、更に外装面も前記軒先構造(III)と同様である。
【００６２】
この第７実施例の軒先唐草４-7も、前記第６実施例の軒先唐草４-6と全く同様の効果を奏することができ、前記軒先構造(XI)でも、前記軒先構造(X)と全く同様の効果を奏することができ、前述の軒樋１を適正位置に固定できる効果、及び軒樋１を安定に保持できる効果を継続させることができる。
【符号の説明】
【００６３】
１，１'  軒樋
１１  底面
１２  内側面
１２１  軒先端
１３  外側面
１３１  被支持部
２，２'  カバー材
２１  化粧面
２２  軒先端
２３，２３'  固定部
３，３-5，３-6，３-7，３-9，３-11  支持材
３１  固定部
３１２  突出片
３２  支持部
３３  被固定部
３４  溝状部
３５１  化粧面
４，４-5，４-6，４-7，４-9，４-11  取付材
４ｂ，４ｃ  固着具
４１  横片部
４２  取付部
４４  被固定部
４６  固定部
４６２  突出片
４７  支持部(下方保持部)
４８  上方保持部
５Ａ  鼻隠し壁面（建築物）
５Ｂ  Ｈ躯体
５Ｃ  構造材（＝断熱材及び軽量鋼材、外装面、外装下地）
６Ａ  横葺き外装材
６ｂ  吊子
６Ｄ  最軒側の外装材
７Ａ  外装材
７ｂ  保持部材
７ｃ  固着具
【図１】
2019007253.tif 000003
【図２】
2019007253.tif 000004
【図３】
2019007253.tif 000005
【図４】
2019007253.tif 000006
【図５】
2019007253.tif 000007
【図６】
2019007253.tif 000008
【図７】
2019007253.tif 000009
【図８】
2019007253.tif 000010
【図９】
2019007253.tif 000011